(57)【要約】      （修正有）【課題】通常時は略平坦な状態を維持するとともに、地震時には、躯体や目地プレートが破損することなく確実に目地部を覆うことができる床用目地装置を提供する。【解決手段】左右の躯体３の目地部側に取付けられた左右の取付具４と、左右の取付具４に上部の複数個の枢支部５が同一面となるとともに、水平方向に回動可能に取り付けられた伸縮支持リンク機構６と、左右の躯体３の目地部側の部位に取り付けられる一対の固定目地プレート８と、伸縮支持リンク機構６に取付けられたガイド筒９と、ガイド筒９に挿入される軸１０を有する支持バー１１と、支持バー１１に取り付けられ、固定目地プレート８と重なり合う可動目地プレート１３と、固定目地プレート８と可動目地プレート１３の重なりあう部位の底面側に設けられ、地震時に固定目地プレート８と可動目地プレート１３間に生じた隙間を塞ぐことができる補助プレート１５と、で床用目地装置１を構成している。【選択図】図２
2016132932.tif 000002
【特許請求の範囲】
【請求項１】
左右の躯体の目地部側に取付けられた左右の取付具と、該左右の取付具に上部の複数個の枢支部が同一面となるとともに、水平方向に回動可能に取り付けられた少なくとも２個以上の伸縮支持リンク機構と、前記左右の躯体の目地部側の部位に取り付けられ、傾斜面を有する一対の固定目地プレートと、前記少なくとも２個以上の伸縮支持リンク機構に取付けられたガイド筒と、該ガイド筒に挿入される軸を有する支持バーと、該支持バーに取り付けられ、前記固定目地プレートの傾斜面と重なり合う傾斜面を有する可動目地プレートと、前記固定目地プレートと可動目地プレートの重なりあう部位の底面側に設けられ、地震により左右の躯体が広がる方向に揺れ動いた際に前記固定目地プレートと可動目地プレート間に生じた隙間を塞ぐことができる補助プレートとから構成されることを特徴とする床用目地装置。
【請求項２】
前記一対の固定目地プレートは、前記左右の取付具を介して左右の躯体の目地部側の部位に取り付けられていることを特徴とする請求項１記載の床用目地装置。
【発明の詳細な説明】
【技術分野】
【０００１】
本発明は目地部を介して設けられた左右の床躯体間の目地部を覆う床用目地装置に関する。
【背景技術】
【０００２】
従来、この種の床用目地装置は複数個の目地カバーを用いた目地プレートをパンタグラフ状のリンク機構等を用いて伸縮可能に支持し、目地部を覆っている（特許文献１参照）。  
【０００３】
しかしながら、このような床用目地装置は、それぞれの目地カバーが隣り合った目地カバーと一部重なり合う状態で設けられており常に段差が生じてしまうため、歩行者は躓いてしまう危険性が増加し、また、車両が通行する際には段差により乗り心地が非常に悪くなるという欠点があった。
【先行技術文献】
【特許文献】
【０００４】
【特許文献１】特開２０１４−２１８８６５号公報
【発明の概要】
【発明が解決しようとする課題】
【０００５】
本発明は以上のような従来の欠点に鑑み、通常時は略平坦な状態を維持することができるとともに、地震によって建物が揺れ動いた際には、躯体や目地プレートが破損することなく確実に目地部を覆うことができる床用目地装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は左右の躯体の目地部側に取付けられた左右の取付具と、該左右の取付具に上部の複数個の枢支部が同一面となるとともに、水平方向に回動可能に取り付けられた少なくとも２個以上の伸縮支持リンク機構と、前記左右の躯体の目地部側の部位に取り付けられ、傾斜面を有する一対の固定目地プレートと、前記少なくとも２個以上の伸縮支持リンク機構に取付けられたガイド筒と、該ガイド筒に挿入される軸を有する支持バーと、該支持バーに取り付けられ、前記固定目地プレートの傾斜面と重なり合う傾斜面を有する可動目地プレートと、前記固定目地プレートと可動目地プレートの重なりあう部位の底面側に設けられ、地震により左右の躯体が広がる方向に揺れ動いた際に前記固定目地プレートと可動目地プレート間に生じた隙間を塞ぐことができる補助プレートとで床用目地装置を構成している。
【発明の効果】
【０００９】
以上の説明から明らかなように、本発明にあっては次に列挙する効果が得られる。
（１）請求項１の発明においては、傾斜面を有する一対の固定目地プレートと、該固定目地プレートの傾斜面と重なり合う傾斜面を有する可動目地プレートとで目地部を覆っているので、目地部を段差が生じることなく平坦に覆うことができる。
（２）地震によって目地部が広がる方向に揺れ動き、一対の固定目地プレートと可動目地プレートとの間に隙間が生じても、補助プレートによって隙間を塞ぐことができる。
【００１０】
したがって、地震によって目地部が広がる方向に揺れ動いても脱落することなく安全に通行することができる。
（３）２個以上の伸縮支持リンク機構の左右の躯体の目地部側への取付けと、該伸縮支持リンク機構に複数個の目地カバーの取付けで設置できるので、設置作業が楽で、容易に設置することができる。
（４）請求項２も前記（１）〜（３）と同様な効果が得られる。
【図面の簡単な説明】
【００１１】
【図１】本発明を実施するための第１の形態の平面図。
【図２】図１の２−２線に沿う断面図。
【図３】図１の３−３線に沿う断面図。
【図４】本発明を実施するための第１の形態の伸縮支持リンク機構の説明図。
【図５】本発明を実施するための第１の形態の取付具の説明図。
【図６】本発明を実施するための第１の形態の固定目地プレートの説明図。
【図７】本発明を実施するための第１の形態の可動目地プレートの説明図。
【図８】本発明を実施するための第１の形態の地震で目地部が狭くなった動作説明図。
【図９】本発明を実施するための第１の形態の地震で目地部が広くなった動作説明図。
【図１０】本発明を実施するための第１の形態の地震で左右の躯体が異なる前後方向に揺れ動いた状態の説明図。
【図１１】本発明を実施するための第２の形態の使用状態の平面図。
【図１２】図１１の１２−１２線に沿う断面図。
【図１３】図１１の１３−１３線に沿う断面図。
【発明を実施するための形態】
【００１２】
以下、図面に示す本発明を実施するための形態により、本発明を詳細に説明する。
【００１３】
図１ないし図９に示す本発明を実施するための第１の形態において、１は目地部２を介して設けられた左右の床躯体３、３間を車両等の走行ができるように覆う床用目地装置で、この床用目地装置１は前記左右の躯体３、３の目地部側に取付けられた左右の取付具４、４と、該左右の取付具４、４に上部の複数個の枢支部５が同一面となるとともに水平方向に回動可能に取り付けられた少なくとも２個以上の伸縮支持リンク機構６と、前記左右の躯体３、３の目地部側の部位に取り付けられ、傾斜面７を有する一対の固定目地プレート８と、前記少なくとも２個以上の伸縮支持リンク機構６に取付けられたガイド筒９と、該ガイド筒９に挿入される軸１０を有する支持バー１１と、該支持バー１１に取り付けられ、前記固定目地プレート８、８の傾斜面７、７と重なり合う傾斜面１２、１２を有する可動目地プレート１３と、前記固定目地プレート８、８と可動目地プレート１３の重なりあう部位の底面側に設けられ、地震により左右の躯体３、３が広がる方向に揺れ動いた際に前記固定目地プレート８、８と可動目地プレート１３間に生じた隙間１４を塞ぐことができる補助プレート１５とで構成されている。なお、前記傾斜面７、１２は、地震により目地部２が狭くなる方向に揺れ動いた際に、可動目地プレート１３が固定目地プレート８、８に乗り上げて、揺れ動きを吸収できるような傾斜面７、１２に形成されている。
【００１４】
前記取付具４は図５に示すように、円筒部材１６に複数個のタッピングビス挿入孔１７、１７が形成された躯体３へ取付ける取付部材１８が形成された固定部材１９と、この固定部材１９の円筒部材１６に回転可能に挿入される円柱状の回転軸２０、この回転軸２０の上部に固定された前記Ｖ型三角格子状の伸縮支持リンク機構６の両側バー部材２１が入り込む、コ字状で、かつ両側壁に枢支ピン挿入孔２２、２２が形成された支持ホルダー２３とからなる回動部材２４とで構成されている。
【００１５】
前記伸縮リンク機構６は、図４に示すように正面視で逆三角形状となるように、下端部が枢支ピン２５で枢支され、上端部近傍の枢支ピン挿入孔２６、２６が形成された両側バー部材２１、２１と、この両側バー部材２１、２１に下端部が枢支ピン２７で枢支され、上端部の枢支部５、５、５が前記枢支ピン挿入孔２２、２２と同一面となるように位置し、交差部位が枢支ピン２８でそれぞれ枢支された格子バー２９とで構成されている。  このように構成することにより、上端部の枢支部５、５、５が略水平に配置され、伸縮リンク機構６が伸縮しても枢支ピン挿入孔２６、２６と上端部の枢支部５、５、５とが略水平を保ったまま伸縮することができる。
【００１６】
前記一対の固定目地プレート８は、平面視長方形状で板状の部材であり、目地部側一辺が傾斜面７に形成されている。この傾斜面７は、目地部が狭くなった際に、可動目地プレート１３が乗り上げて上方へ移動できるように、断面形状が直角台形状となるように形成されている。
【００１７】
また、固定目地プレート８は、前記取付具４の上面にスペーサー３０を介して固定されており、該スペーサー３０を用いることによって前記可動目地プレート１３と上面が平坦になるとともに、底面側に補助プレート１５を設けるためのスペースを確保している。
【００１８】
前記可動目地プレート１３は、平面視長方形状で板状の部材であり、固定目地プレート８側の２辺に傾斜面１２、１２が形成されている。この傾斜面７は、目地部が狭くなった際に、可動目地プレート１３が固定目地プレート８、８に乗り上げて上方へ移動できるように、断面形状が逆台形状となるように形成されている。
【００１９】
前記可動目地プレート１３の底面には支持バー１１が固定されており、該支持バー１１の軸１０を前記伸縮支持リンク機構６に取付けられたガイド筒９に挿入することによって、上下移動自在に伸縮支持リンク機構６に取り付けられている。なお、支持バー１１の高さ方向の寸法は、前記固定目地プレート８、８の上面と可動目地プレート１３の上面が同一の高さになるように設定されている。
【００２０】
前記補助プレート１５は、平面視長方形状で板状の部材であり、前記可動目地プレート１３と固定目地プレート８の重なりあう部位の底面側に設けられている。本実施の形態においては、前記可動目地プレート１３と同様に、補助プレート１５の底面には支持バー１１が固定されており、該支持バー１１の軸１０を前記伸縮支持リンク機構６に取付けられたガイド筒９に挿入することによって取り付けられている。
【００２１】
地震で目地部２が狭くなるように左右の躯体３、３が揺れ動くと、図８に示すように伸縮支持リンク機構６の上部枢支部５、５、５の間隔が狭くなり、可動目地プレート１３が固定目地プレート８、８の傾斜面７、７に沿って固定目地プレート８、８の上面にせり上がり、その揺れ動きを吸収する。
【００２２】
この時可動目地プレート１３は、ガイド筒９に挿入された支持バー１１の軸１０によって、略垂直の方向にせり上がる。地震による揺れ動きが治まり、左右の躯体３、３が元の位置に復帰すると、可動目地プレート１３は重力によって固定目地プレート８、８の傾斜面７、７に沿って下降し、固定目地プレート８、８と可動目地プレート１３の上面が平坦な状態に復帰する。この時も、ガイド筒９に挿入された支持バー１１の軸１０によって、略垂直に移動し元の位置に復帰する。すなわち、ガイド筒９に挿入された支持バー１１の軸１０により、せり上がり時や復帰時に可動目地プレート１３が左右方向にズレて元の位置に復帰できなくなることを防止位sている。
【００２３】
地震で目地部２が広くなるように左右の躯体３、３が揺れ動くと、図９に示すように伸縮支持リンク機構６の上部枢支部５、５、５の間隔が広くなり、固定目地プレート８、８と可動目地プレート１３の間には隙間１４が生じるが、この隙間１４は前記補助プレート１５により塞がれ、隙間から人や物品が落下することを防止する。
【００２４】
地震で左右の躯体３、３が異なる前後方向に揺れ動いた場合、図１０に示すように左右の取付具５、５の回動部材２４、２４が水平方向に回動して伸縮支持リンク機構６を回動させ可動目地プレート１３と補助プレート１５、１５が前後方向にスライド移動して、その揺れ動きを吸収する。
【００２５】
[発明を実施するための異なる形態]
次に、図１１ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２６】
図１１ないし図１３に示す本発明を実施するための第２の形態において、前記本発明を実施するための第１の形態と主に異なる点は、固定目地プレート８、８を取付具４、４を介さずに左右の躯体３、３の目地部側の部位に直接取り付けた点で、このような構成の床用目地装置１Ａにしても前記本発明を実施するための第１の形態と同様な作用効果が得られる。
【００２７】
なお、本発明の実施の形態においては、スペーサー３０を介して取付具５に固定目地プレート８を設けていたが、固定目地プレート８の上面と可動目地プレート１３の上面が平坦となれば、必ずしもスペーサー３０を用いる必要はない。
【００２８】
また、支持バー１１は可動目地プレート１３と別体となっているものについて説明したが、支持バー１１と可動目地プレート１３とを一体形成してもよい。
【００２９】
さらに、本発明の実施の形態においては、補助プレートを伸縮リンク機構に支持バー１１を介して取付け、固定目地プレートと可動目地プレートの重なりあう部位の底面側に設けたが、本発明はこれに限られず、目地部が狭くなった際の可動目地プレートの動きに干渉せず、かつ、目地部が広くなった際に固定目地プレートと可動目地プレート間に生じた隙間を塞ぐことができるように、固定目地プレートと可動目地プレートの重なりあう部位の底面側に設けることができれば、どのような設置方法でもよい。
【産業上の利用可能性】
【００３０】
本発明は目地部を介して設けられた左右の床躯体間の目地部を、車両の走行が可能に覆う床用目地装置の床用目地プレートを製造する産業で利用される。
【符号の説明】
【００３１】
１、１Ａ：床用目地装置、        ２：目地部、
３：床躯体、                    ４：取付具、
５：上部枢支部、                ６：伸縮支持リンク機構、
７：傾斜面、                    ８：固定目地プレート、
９：ガイド筒、                  １０：軸、
１１：支持バー、                １２：傾斜面、  
１３：可動目地プレート、        １４：隙間、
１５：補助プレート、            １６：円筒部材、
１７：タッピングビス挿入孔、    １８：取付部材、
１９：固定部材、                ２０：回転軸、
２１：両側バー部材、            ２２：枢支ピン挿入孔、
２３：支持ホルダー、            ２４：回動部材、
２５：枢支ピン、                ２６：枢支ピン挿入孔、
２７：枢支ピン、                ２８：枢支ピン、
２９：格子バー、                ３０：スペーサー。
【図１】
2016132932.tif 000003
【図２】
2016132932.tif 000004
【図３】
2016132932.tif 000005
【図４】
2016132932.tif 000006
【図５】
2016132932.tif 000007
【図６】
2016132932.tif 000008
【図７】
2016132932.tif 000009
【図８】
2016132932.tif 000010
【図９】
2016132932.tif 000011
【図１０】
2016132932.tif 000012
【図１１】
2016132932.tif 000013
【図１２】
2016132932.tif 000014
【図１３】
2016132932.tif 000015